(57)【要約】【課題】電子装置や通信装置等に実装される受動部品の部品点数を削減すると共に、受動部品の端子ピッチの狭ピッチ化、端子数の削減、並びに受動部品の全体の実装エリアの省スペース化を実現させる。【解決手段】受動部品１０Ａは、誘電体基板１４内に、複数の受動部１６Ａ及び１６Ｂを形成し、各受動部１６Ａ及び１６Ｂにおいて共通の接地電位が印加される複数の電極を共通化する。例えば各共振電極２０、２２、２４及び２６毎に形成された８つの内層アース電極５４、５８、５６、６０、６６、７０、６８、７２を共通化してアース電極３６に接続し、第１及び第２の入力側共振電極２０及び２４の短絡端、並びに第１及び第２の出力側共振電極２２及び２６の短絡端をそれぞれ内層アース電極１２ａ及び１２ｂにて共通化してアース電極３６に接続する。【選択図】図２
2008187733.tif 000002
【特許請求の範囲】
【請求項１】
複数の誘電体層が積層されて構成された誘電体基板内に、複数の受動部を有し、
各受動部において及び／又は各受動部間で複数の電極が共通化されていることを特徴とする受動部品。
【請求項２】
請求項１記載の受動部品において、
前記各受動部において及び／又は各受動部間で共通の固定電位が印加される複数の電極が共通化されていることを特徴とする受動部品。
【請求項３】
請求項２記載の受動部品において、
前記各受動部において及び／又は各受動部間で共通の固定電位が印加される複数の電極が共通化されて、前記誘電体基板の表面に形成された共通端子に接続されていることを特徴とする受動部品。
【請求項４】
請求項１〜３のいずれか１項に記載の受動部品において、
前記受動部は、複数の共振器を有するフィルタ部を有することを特徴とする受動部品。
【請求項５】
請求項１〜４のいずれか１項に記載の受動部品において、
前記受動部は、ストリップラインを有する非平衡−平衡変換部を有することを特徴とする受動部品。
【請求項６】
請求項１〜３のいずれか１項に記載の受動部品において、
前記受動部は、複数の共振器を有する非平衡入出力方式のフィルタ部と、ストリップラインを有する非平衡−平衡変換部とを有することを特徴とする受動部品。
【請求項７】
請求項１〜６のいずれか１項に記載の受動部品において、
前記複数の受動部間にアイソレーション手段が介在されていることを特徴とする受動部品。
【請求項８】
請求項２〜４のいずれか１項に記載の受動部品において、
前記誘電体基板内に、少なくとも第１及び第２の受動部を有し、各受動部が１以上の共振器を有するフィルタ部を具備する場合に、
前記第１の受動部の前記共振器を構成する共振電極の短絡端と、前記第２の受動部の前記共振器を構成する共振電極の短絡端とがそれぞれ共通化されていることを特徴とする受動部品。
【発明の詳細な説明】
【技術分野】
【０００１】
本発明は、数百ＭＨｚ〜数ＧＨｚのマイクロ波帯において共振回路を構成する積層型誘電体フィルタ等を含む受動部品に関し、通信機器や電子機器の小型化を有効に図ることができる受動部品に関する。
【背景技術】
【０００２】
近時、ＩＣが高集積化され、ＩＣ自体の小型化が急速に進んでいる。これに伴い、前記ＩＣの周辺に使用されるフィルタ等の受動部品も小型化が進んでいる。また、受動部品の小型化には、誘電体基板を使用した積層型誘電体フィルタが有効である（例えば特許文献１及び２参照）。
【０００３】
【特許文献１】特開２００２−２８０８０５号公報
【特許文献２】特開２００２−２６１６４３号公報
【発明の開示】
【発明が解決しようとする課題】
【０００４】
ところで、フィルタにおいては、送信側と受信側にそれぞれ１個使用される。無線ＬＡＮにおいては、２．４ＧＨｚと５ＧＨｚのデュアルシステム等が開発されており、この場合、フィルタは少なくとも合計４個は使用されることになる。
【０００５】
このような場合に、ＩＣの集積化・小型化に対して、受動部品の実装エリアの省スペース化が追いついていないのが現状である。なぜなら、従来の積層型誘電体フィルタ等においては、それ自体の小型化は進んでいるが、受動部品毎に入出力端子に加え、グランド端子が必要となることと、実装時の強度維持のために端子の大きさを小さくするにも限界があるからである。従って、受動部品の端子ピッチは、ＩＣの端子ピッチよりもはるかに大きい。
【０００６】
また、個々の受動部品には、一定の実装面積（通常、部品の投影面積の約１．５倍）が必要であり、受動部品の実装について集積化ができないという問題がある。従って、通信装置等の小型化のために、ＩＣや受動部品を含めた実装領域が狭くなると、ＩＣや受動部品の配置並びに配線も困難になることから、通信装置等の小型化には限界が生じる。
【０００７】
本発明はこのような課題を考慮してなされたものであり、電子装置や通信装置等に実装される受動部品の部品点数を削減することができると共に、受動部品の端子ピッチの狭ピッチ化、端子数の削減、並びに受動部品の全体の実装エリアの省スペース化を実現させることができる受動部品を提供することを目的とする。
【課題を解決するための手段】
【０００８】
本発明に係る受動部品は、複数の誘電体層が積層されて構成された誘電体基板内に、複数の受動部を有し、各受動部において及び／又は各受動部間で複数の電極が共通化されていることを特徴とする。
【０００９】
これにより、複数の受動部が１つの誘電体基板内に形成されて複合化されることになり、複数の受動部をそれぞれ単独で実装するよりも、その実装エリアを省スペース化させることができる。
【００１０】
しかも、各受動部において及び／又は各受動部間で複数の電極を共通化しているため、積層型誘電体フィルタから導出される端子数を有効に削減することができ、これに伴い、端子間のピッチも狭ピッチ化させることができる。この場合、前記各受動部において及び／又は各受動部間で共通の固定電位が印加される複数の電極を共通化するようにしてもよいし、共通化して前記誘電体基板の表面に形成された共通端子に接続するようにしてもよい。
【００１１】
このように、本発明に係る受動部品においては、電子装置や通信装置等に実装される受動素子の部品点数を削減することができると共に、受動素子の端子ピッチの狭ピッチ化、端子数の削減、並びに受動素子の全体の実装エリアの省スペース化を実現させることができる。
【００１２】
前記受動部としては、複数の共振器を有するフィルタ部を有するようにしてもよいし、ストリップラインを有する非平衡−平衡変換部を有するようにしてもよい。
【００１３】
また、受動部は、複数の共振器を有する非平衡入出力方式のフィルタ部と、ストリップラインを有する非平衡−平衡変換部とを有するようにしてもよい。
【００１４】
これにより、各フィルタ部として小型化に有利な１／４波長の共振器にて構成することができる。一体化することで、フィルタ部と非平衡−平衡変換部間の特性インピーダンスを特定の値（例えば５０Ω）に設定する必要がなくなり、両者間の特性インピーダンスを任意に決定することができるため、それぞれの設計の自由度を増すことができる。
【００１５】
また、両者間の特性インピーダンスを低く設定することができることから、フィルタ部を形成しやすくなり、非平衡−平衡変換部を構成するストリップラインの線幅を広げることができるため、非平衡−平衡変換部の損失も低減できるという効果がある。
【００１６】
つまり、この構成においては、高周波増幅回路等の接続を考慮して平衡入出力を実現しながらも、小型化を有効に図ることができる。
【００１７】
また、前記構成において、前記複数の受動部間にアイソレーション手段を介在させるようにしてもよい。これにより、１つの誘電体基板内に複合化された複数の受動部間のアイソレーションを改善することができ、特性の向上を図ることができる。このアイソレーション手段としては、例えば受動部間をビアホールでシールドしたり、空気層でシールドする方法などがある。
【００１８】
また、前記構成において、前記誘電体基板内に、少なくとも第１及び第２の受動部を有し、各受動部が１以上の共振器を有するフィルタ部を具備する場合に、前記第１の受動部の前記共振器を構成する共振電極の短絡端と、前記第２の受動部の前記共振器を構成する共振電極の短絡端とをそれぞれ共通化してもよい。
【００１９】
この場合、第１及び第２のフィルタを１つの誘電体基板内に効率よく配置することができ、しかも、各フィルタ部間のアイソレーションを各共振電極の短絡端にて改善することができ、作製の容易性、受動部品の小型化を図ることができる。
【発明の効果】
【００２０】
以上説明したように、本発明に係る受動部品によれば、電子装置や通信装置等に実装される受動部品の部品点数を削減することができると共に、受動部品の端子ピッチの狭ピッチ化、端子数の削減、並びに受動部品の全体の実装エリアの省スペース化を実現させることができる。
【発明を実施するための最良の形態】
【００２１】
以下、本発明に係る受動部品のいくつかの実施の形態例を図１〜図１０を参照しながら説明する。
【００２２】
まず、第１の実施の形態に係る受動部品１０Ａは、図１に示すように、複数の誘電体層（Ｓ１〜Ｓ７：図２参照）が積層、焼成一体化され、かつ、両主面（第２の誘電体層Ｓ２の一主面及び第６の誘電体層Ｓ６の一主面）にそれぞれ内層アース電極１２ａ及び１２ｂが形成された誘電体基板１４を有する。
【００２３】
誘電体基板１４は、図２に示すように、上から順に、第１の誘電体層Ｓ１〜第７の誘電体層Ｓ７が積み重ねられて構成されている。これら第１〜第７の誘電体層Ｓ１〜Ｓ７は１枚あるいは複数枚の層にて構成される。
【００２４】
誘電体基板１４内には、図２に示すように、２つの受動部（第１及び第２の受動部１６Ａ及び１６Ｂ）が左右対称の位置に形成されている。
【００２５】
第１の受動部１６Ａは、２つの１／４波長の共振器（第１の入力側共振器及び第１の出力側共振器）を構成する第１のフィルタ部１８Ａを有し、該第１のフィルタ部１８Ａは、図２に示すように、第４の誘電体層Ｓ４の一主面に形成された第１の入力側共振電極２０及び第１の出力側共振電極２２を有する。
【００２６】
第２の受動部１６Ｂは、２つの１／４波長の共振器（第２の入力側共振器及び第２の出力側共振器）を構成する第２のフィルタ部１８Ｂを有し、該第２のフィルタ部１８Ｂは、第４の誘電体層Ｓ４の一主面に形成された第２の入力側共振電極２４及び第２の出力側共振電極２６を有する。
【００２７】
そして、第１のフィルタ部１８Ａにおける第１の入力側共振電極２０と第２のフィルタ部１８Ｂにおける第２の入力側共振電極２４とが１つの電極膜で連続して形成され、更に、この電極膜の長手方向中央部分がビアホール２８及び３０を介してそれぞれ内層アース電極１２ａ及び１２ｂに電気的に接続されている。即ち、第１の入力側共振電極２０と第２の入力側共振電極２４の各短絡端（ビアホール２８及び３０）が共通化された構成となっている。
【００２８】
これは、第１のフィルタ部１８Ａにおける第１の出力側共振電極２２と第２のフィルタ部１８Ｂにおける第２の出力側共振電極２６においても同様であり、各電極２２及び２６が１つの電極膜で連続して形成され、更に、この電極膜の長手方向中央部分がビアホール３２及び３４を介してそれぞれ内層アース電極１２ａ及び１２ｂに電気的に接続されている。即ち、この場合も、第１の出力側共振電極２２と第２の出力側共振電極２６の各短絡端（ビアホール３２及び３４）が共通化された構成となっている。
【００２９】
また、この受動部品１０Ａにおいては、図１に示すように、誘電体基板１４の外周面のうち、愛１の側面１４ａ及び該第１の側面１４ａと対向する第２の側面１４ｂには、それぞれ前記内層アース電極１２ａ及び１２ｂが接続されるアース電極３６が形成されている。
【００３０】
誘電体基板１４の第３の側面１４ｃには、第１の非平衡入力端子３８と第２の非平衡入力端子４０が形成されている。第１の非平衡入力端子３８は、図２に示すように、リード電極４２を介して第１の入力側共振電極２０に電気的に接続され、第２の非平衡入力端子４０は、リード電極４４を介して第２の入力側共振電極２４に電気的に接続されている。
【００３１】
図１に示すように、第３の側面１４ｃと対向する第４の側面１４ｄには、第１の非平衡出力端子４６と第２の非平衡出力端子４８が形成されている。第１の非平衡出力端子４６は、図２に示すように、リード電極５０を介して第１の出力側共振電極２２に電気的に接続され、第２の非平衡出力端子４８は、リード電極５２を介して第２の出力側共振電極２６に電気的に接続されている。
【００３２】
一方、図２に示すように、第３の誘電体層Ｓ３の一主面には、第１及び第２の入力側共振電極２０及び２４の各開放端と対向する内層アース電極５４及び５６と、第１及び第２の出力側共振電極２２及び２６の各開放端と対向する内層アース電極５８及び６０と、第１の入力側共振器及び第１の出力側共振器間の結合度を調整するための結合調整電極６２と、第２の入力側共振器及び第２の出力側共振器間の結合度を調整するための結合調整電極６４とが形成されている。
【００３３】
第５の誘電体層Ｓ５の一主面には、第１及び第２の入力側共振電極２０及び２４の各開放端と対向する内層アース電極６６及び６８と、第１及び第２の出力側共振電極２２及び２６の各開放端と対向する内層アース電極７０及び７２と、第１の入力側共振器及び第１の出力側共振器間の結合度を調整するための結合調整電極７４と、第２の入力側共振器及び第２の出力側共振器間の結合度を調整するための結合調整電極７６とが形成されている。
【００３４】
つまり、この第１の実施の形態に係る受動部品１０Ａは、第１の非平衡入力端子３８に入力された信号が第１の受動部１６Ａにおける第１のフィルタ部１８Ａを介して第１の非平衡出力端子４６から出力され、第２の非平衡入力端子４０に入力された信号が第２の受動部１６Ｂにおける第２のフィルタ部１８Ｂを介して第２の非平衡出力端子４８から出力されることとなる。
【００３５】
このように、第１の実施の形態に係る受動部品１０Ａにおいては、誘電体基板１４内に、複数の受動部１６Ａ及び１６Ｂを形成し、各受動部１６Ａ及び１６Ｂにおいて共通の接地電位が印加される複数の電極を共通化している。
【００３６】
例えば各共振電極２０、２２、２４及び２６毎に形成された８つの内層アース電極５４、５８、５６、６０、６６、７０、６８、７２を共通化してアース電極３６に接続し、第１及び第２の入力側共振電極２０及び２４の短絡端、並びに第１及び第２の出力側共振電極２２及び２６の短絡端をそれぞれ内層アース電極１２ａ及び１２ｂにて共通化してアース電極３６に接続するようにしている。
【００３７】
これにより、第１及び第２の受動部１６Ａ及び１６Ｂが１つの誘電体基板１４内に形成されて複合化されることになり、第１の受動部１６Ａ及び第２の受動部１６Ｂをそれぞれ単独で実装するよりも、その実装エリアを省スペース化させることができる。
【００３８】
しかも、各受動部１６Ａ及び１６Ｂにおいて共通の接地電位が印加される複数の電極を共通化しているため、受動部品１０Ａから導出される端子数を有効に削減することができ、これに伴い、端子間のピッチも狭ピッチ化させることができる。
【００３９】
ここで、比較例と実施例における端子間のピッチと実装エリアについて説明する。比較例は、図３に示すように、２つの受動部品８０Ａ及び８０Ｂを並べて実装した例を示し、実施例は、図４に示すように、上述した第１の実施の形態に係る受動部品１０Ａを実装した例を示す。
【００４０】
図３に示すように、比較例は、２つの受動部品８０Ａ及び８０Ｂの各実装エリアＺ１及びＺ２を考慮する必要があることから、２つの受動部品８０Ａ及び８０Ｂの端子間のピッチＰａ、例えば受動部品８０Ａの出力端子４６と受動部品８０Ｂの出力端子４８間の距離Ｐａは、２つの受動部品８０Ａ及び８０Ｂ間の実装エリアＺ１及びＺ２並びに配線領域を跨って設定する必要があり、その短縮化には限界がある。
【００４１】
また、例えば受動部品８０Ａのアース電極から導出される配線と他の受動部品８０Ｂのアース電極から導出された配線とを各実装エリアの外部において共通化して共通配線８１として導出させる必要がある。従って、例えば受動部品８０Ａと共通化された配線８１間の距離Ｐｂも長くなるという不都合がある。
【００４２】
一方、実施例は、図４に示すように、２つの受動部１６Ａ及び１６Ｂが１つの誘電体基板１４内に複合化されていることから、端子間のピッチＰｃは、受動部品１０Ａの実装エリアＺ３を考慮する必要がなく、比較例と比して狭ピッチ化が可能である。しかも、１つの誘電体基板１４を実装する形態となるため、その実装エリアＺ３も、比較例の合計実装エリア（Ｚ１＋Ｚ２）よりも省スペース化させることができる。
【００４３】
また、図４に示すように、例えばアース電極３６から導出される配線８３も１つでよいため、例えば出力端子と配線８３の距離Ｐｄも短縮化することができる。
【００４４】
このように、第１の実施の形態に係る受動部品１０Ａは、電子装置や通信装置等に実装される受動部品１０Ａの部品点数を削減することができると共に、受動部品１０Ａの端子ピッチＰｂの狭ピッチ化、端子数の削減、並びに受動部品１０Ａの全体の実装エリアＺ３の省スペース化を実現させることができる。
【００４５】
次に、第２の実施の形態に係る受動部品１０Ｂについて図５及び図６を参照しながら説明する。なお、図１及び図２と対応する部材については同じ符号を付してその重複説明を省略する。
【００４６】
この第２の実施の形態に係る受動部品１０Ｂは、上述した第１の実施の形態と同様に、誘電体基板１４を有する。この誘電体基板１４は、図６に示すように、複数の誘電体層（Ｓ１〜Ｓ１２）が積層、焼成一体化され、両主面（第２の誘電体層Ｓ２の一主面及び第１１の誘電体層Ｓ１１の一主面）にそれぞれ内層アース電極１２ａ及び１２ｂが形成されている。また、第１０の誘電体層Ｓ１０の一主面には、ＤＣ電源に接続される内層ＤＣ電極８２が形成されている。
【００４７】
そして、この第２の実施の形態は、誘電体基板１４内に、第１及び第２の受動部１６Ａ及び１６Ｂが左右対称の位置に形成されている点では第１の実施の形態と同様であるが、第１の受動部１６Ａが第１のフィルタ部１８Ａと第１の非平衡−平衡変換部（以下、第１の変換部８４Ａと記す）とこれら第１のフィルタ部１８Ａと第１の変換部８４Ａとを接続する第１の接続部８６Ａとを有する点と、第２の受動部１６Ｂが第２のフィルタ部１８Ｂと第２の非平衡−平衡変換部（以下、第２の変換部８４Ｂと記す）とこれら第２のフィルタ部１８Ｂと第２の変換部８４Ｂを接続する第２の接続部８６Ｂとを有する点で異なる。第１及び第２の受動部１６Ａ及び１６Ｂは、それぞれ左右対称の位置に形成されている。
【００４８】
ここで、説明をより明瞭とするために、第１及び第２のフィルタ部１８Ａ及び１８Ｂを複合フィルタ部８８と記し、第１及び第２の変換部８４Ａ及び８４Ｂを複合変換部９０と記し、第１及び第２の接続部８６Ａ及び８６Ｂを複合接続部９２と記す。
【００４９】
複合フィルタ部８８並びに複合変換部９０は、誘電体基板１４上、誘電体層Ｓ１〜Ｓ１２の積層方向上下に分離された領域にそれぞれ形成されている。例えば、図６では、積層方向上部に複合フィルタ部８８が形成され、積層方向下部に複合変換部９０が形成され、両者間に複合接続部９２が形成された例が示されている。
【００５０】
つまり、第３の誘電体層Ｓ３及び第４の誘電体層Ｓ４に複合フィルタ部８８が形成され、第７及び第８の誘電体層Ｓ７及びＳ８に複合変換部９０が形成され、第５の誘電体層Ｓ５に複合接続部９２が形成されている。
【００５１】
更に、この誘電体基板１４内には、複合フィルタ部８８と複合変換部９０とのアイソレーションを目的とした内層アース電極９４が形成され、複合変換部９０と内層ＤＣ電極８２とのアイソレーションを目的とした内層アース電極９６が形成されている。
【００５２】
また、この受動部品１０Ｂにおいては、図５に示すように、誘電体基板１４の外周面のうち、第３の側面１４ｂには、その中央部分に、第１の非平衡入力端子３８と第２の非平衡入力端子４０とが形成され、更に、第１の非平衡入力端子３８に隣接してＤＣ端子９８が形成され、第２の非平衡入力端子４０に隣接してアース電極３６が形成されている。また、第４の側面１４ｂには、第１の平衡出力端子１００Ａ及び１００Ｂと第２の平衡出力端子１０２Ａ及び１０２Ｂが形成されている。
【００５３】
一方、複合変換部９０における第１の変換部８４Ａは、第７の誘電体層Ｓ７の一主面に形成された１つのストリップライン１０４と、第８の誘電体層Ｓ８の一主面に形成された２つのストリップライン１０６及び１０８とを有する。同様に、第２の変換部８４Ｂは、第７の誘電体層Ｓ７の一主面に形成された１つのストリップライン１１０と、第８の誘電体層Ｓ８の一主面に形成された２つのストリップライン１１２及び１１４とを有する。
【００５４】
第１の変換部８４Ａにおけるストリップライン１０４は、一端（始端）１１６と他端（終端）１１８とが互いに隣接し、かつ、始端１１６から終端１１８に向けてほぼ渦巻状に形成された形状を有する。ストリップライン１０６は、始端１２０から第１の平衡出力端子の一方の端子１００Ａに向かって渦巻状に形成された形状を有し、ストリップライン１０８は、始端１２２から第１の平衡出力端子の他方の端子１００Ｂに向かって渦巻状に形成された形状を有する。
【００５５】
同様に、第２の変換部８４Ｂにおけるストリップライン１１０は、始端１２４と終端１２６とが互いに隣接し、かつ、始端１２４から終端１２６に向けてほぼ渦巻状に形成された形状を有する。ストリップライン１１２は、始端１２８から第２の平衡出力端子の一方の端子１０２Ａに向かって渦巻状に形成された形状を有し、ストリップライン１１４は、始端１３０から第２の平衡出力端子の他方の端子１０２Ｂに向かって渦巻状に形成された形状を有する。
【００５６】
複合接続部９２における第１の接続部８６Ａは、第５の誘電体層Ｓ５の一主面に形成され、第１の出力側共振電極２２と第４の誘電体層Ｓ４とを間に挟んで重なる第１の接続電極１３２を有し、第２の接続部８６Ｂは、同じく第２の出力側共振電極２６と第４の誘電体層Ｓ４とを間に挟んで重なる第２の接続電極１３４を有する。
【００５７】
そして、第１の変換部８４Ａにおけるストリップライン１０４の始端１１６と第１の接続電極１３２とがビアホール１３６を介して電気的に接続され、第２の変換部８４Ｂにおけるストリップライン１１０の始端１２４と第２の接続電極１３４とがビアホール１３８を介して電気的に接続されている。第６の誘電体層Ｓ６の一主面に形成された内層アース電極９４には、ビアホール１３６及び１３８と絶縁をとるための領域、即ち電極膜が形成されていない領域が確保されている。
【００５８】
また、第１の変換部８４Ａにおけるストリップライン１０６及び１０８の各始端１２０及び１２２と第１０の誘電体層Ｓ１０に形成された内層ＤＣ電極８２とがそれぞれビアホール１４０及び１４２を介して電気的に接続され、第２の変換部８４Ｂにおけるストリップライン１１２及び１１４の各始端１２８及び１３０と前記内層ＤＣ電極８２とがビアホール１４４及び１４６を介して電気的に接続されている。第９の誘電体層Ｓ９の一主面に形成された内層アース電極９６には、ビアホール１４０、１４２、１４４及び１４６と絶縁をとるための領域、即ち電極膜が形成されていない領域が確保されている。
【００５９】
また、第１の入力側共振電極２０と第２の入力側共振電極２４の共通の短絡端から下方に延びるビアホール３０、並びに第１の出力側共振電極２２と第２の出力側共振電極２６の共通の短絡端から下方に延びるビアホール３４は、それぞれ第９の誘電体層Ｓ９の一主面に形成された内層アース電極９６まで達して形成されている。
【００６０】
つまり、この第２の実施の形態に係る受動部品１０Ｂは、第１の非平衡入力端子３８に入力された信号が第１の受動部１６Ａにおける第１のフィルタ部１８Ａと第１の変換部８４Ａを介して第１の平衡出力端子１００Ａ及び１００Ｂから出力され、第２の非平衡入力端子４０に入力された信号が第２の受動部１６Ｂにおける第２のフィルタ部１８Ｂと第２の変換部８４Ｂを介して第２の平衡出力端子１０２Ａ及び１０２Ｂから出力されることとなる。
【００６１】
このように、第２の実施の形態に係る受動部品１０Ｂにおいては、第１の実施の形態と同様に、例えば各共振電極２０、２２、２４及び２６毎に形成された４つの内層アース電極５４、５８、５６、６０を共通化してアース電極３６に接続し、第１及び第２の入力側共振電極２０及び２４の短絡端を共通化してアース電極３６に接続し、第１及び第２の出力側共振電極２２及び２６の短絡端を共通化してアース電極３６に接続するようにしている。
【００６２】
また、第１の変換部８４Ａにおける各ストリップライン１０６及び１０８の始端１２０及び１２２並びに第２の変換部８４Ｂにおける各ストリップライン１１２及び１１４の始端１２８及び１３０をそれぞれ内層ＤＣ電極８２にて共通化してＤＣ端子９８に接続するようにしている。
【００６３】
これにより、第１及び第２のフィルタ部１８Ａ及び１８Ｂ、並びに第１及び第２の変換部８４Ａ及び８４Ｂが１つの誘電体基板１４内に形成されて複合化されることになり、第１のフィルタ部１８Ａ、第２のフィルタ部１８Ｂ、第１の変換部８４Ａ及び第２の変換部８４Ｂをそれぞれ単独で実装するよりも、その実装エリアを省スペース化させることができる。
【００６４】
しかも、各フィルタ部１８Ａ及び１８Ｂにおいて共通の接地電位が印加される複数の電極を共通化し、更に、各変換部８４Ａ及び８４Ｂにおいて共通のＤＣ電位が印加される複数の電極を共通化しているため、受動部品１０Ｂから導出される端子数を有効に削減することができ、これに伴い、端子間のピッチも狭ピッチ化させることができる。
【００６５】
また、この第２の実施の形態では、第１の受動部１６Ａは、複数の共振器を有する非平衡入出力方式の第１のフィルタ部１８Ａと、複数のストリップラインを有する第１の変換部８４Ａとを有し、第２の受動部１６Ｂは、複数の共振器を有する非平衡入出力方式の第２のフィルタ部１８Ｂと、複数のストリップラインを有する第２の変換部８４Ｂとを有するようにしている。
【００６６】
これにより、第１及び第２のフィルタ部１８Ａ及び１８Ｂを、小型化に有利な１／４波長の共振器にて構成することができる。しかも、一体化することで、第１のフィルタ部１８Ａと第１の変換部８４Ａ間の特性インピーダンス、並びに第２のフィルタ部１８Ｂと第２の変換部８４Ｂ間の特性インピーダンスをそれぞれ特定の値（例えば５０Ω）に設定する必要がなくなり、両者間の特性インピーダンスを任意に決定することができるため、それぞれの設計の自由度を増すことができる。
【００６７】
また、両者間の特性インピーダンスを低く設定することができることから、第１及び第２のフィルタ部１８Ａ及び１８Ｂを形成しやすくなり、第１及び第２の変換部８４Ａ及び８４Ｂを構成するストリップラインの線幅を広げることができるため、第１及び第２の変換部８４Ａ及び８４Ｂの損失も低減できるという効果がある。
【００６８】
つまり、この構成においては、高周波増幅回路等の接続を考慮して平衡入出力を実現しながらも、小型化を有効に図ることができる。
【００６９】
また、第１の入力側共振電極２０と第２の入力側共振電極２４の共通の短絡端から下方に延びるビアホール３０と、第１の出力側共振電極２２と第２の出力側共振電極２６との共通の短絡端から下方に延びるビアホール３４とが、複合変換部９０の下層に形成された内層アース電極９６まで達しているため、これらビアホール３０及び３４にて第１及び第２の変換部８４Ａ及び８４Ｂ間のアイソレーションを改善することができる。
【００７０】
なお、例えば第１及び第２の変換部８４Ａ及び８４Ｂ間のアイソレーションを改善する方法としては、図７に示す変形例に係る受動部品１０Ｂａのように、第１及び第２の変換部８４Ａ及び８４Ｂ間に第７及び第８の誘電体層Ｓ７及びＳ８を貫通する例えば長方形状の長孔１５０を形成し、該長孔１５０内に内層アース電極９４及び９６とビアホール３０及び３４を介して電気的に接続される導電体層１５２を充填するようにしてもよい。これにより、第１及び第２の変換部８４Ａ及び８４Ｂ間のアイソレーションを更に改善させることができる。なお、前記長孔１５０内に空気を充填するようにしてもよい。
【００７１】
次に、第３の実施の形態に係る受動部品１０Ｃについて図８を参照しながら説明する。なお、図５及び図６と対応する部材については同じ符号を付してその重複説明を省略する。
【００７２】
この第３の実施の形態に係る受動部品１０Ｃは、上述した第２の実施の形態に係る受動部品１０Ｂとほぼ同様の構成を有するが、第２のフィルタ部１８Ｂが存在しないことで異なる。
【００７３】
即ち、この受動部品１０Ｃは、第１の非平衡入力端子３８（図５参照）から入力された信号が第１の受動部１６Ａにおける第１のフィルタ部１８Ａと第１の変換部８４Ａを介して第１の平衡出力端子１００Ａ及び１００Ｂから出力され、第２の非平衡入力端子４０に入力された信号が直接第２の受動部１６Ａにおける第２の変換部８４Ｂを介して第２の平衡出力端子１０２Ａ及び１０２Ｂから出力される。
【００７４】
これに伴い、上述した第２の実施の形態に係る受動部品１０Ｂと比較すると、第３の誘電体層Ｓ３への内層アース電極５６及び６０（図６参照）の形成、結合調整電極６４の形成が省略されている。
【００７５】
その代わりに、第５の誘電体層Ｓ５の一主面に第２の非平衡入力端子４０（図５参照）と第２の変換部８４Ｂとを電気的に接続する接続電極１６０が形成されることで、第２の非平衡入力端子４０からの信号が第２の変換部８４Ｂを介して第２の平衡出力端子１０２Ａ及び１０２Ｂ（図５参照）から平衡出力されるようになっている。
【００７６】
この第３の実施の形態においても、第１の入力側共振電極２０の短絡端から下方に延びるビアホール３０と、第１の出力側共振電極２２の短絡端から下方に延びるビアホール３４によって第１及び第２の変換部８４Ａ及び８４Ｂ間のアイソレーションを改善することができる。
【００７７】
もちろん、図９の変形例に係る受動部品１０Ｃａに示すように、第１及び第２の変換部８４Ａ及び８４Ｂ間に長孔１５０を形成し、該長孔１５０内に内層アース電極９４及び９６とビアホール３０及び３４を介して電気的に接続される導電体層１５２を充填して第１及び第２の変換部８４Ａ及び８４Ｂ間のアイソレーションを更に改善させるようにしてもよい。前記長孔１５０内に空気を充填してもよい。
【００７８】
このように、第３の実施の形態に係る受動部品１０Ｃ及び変形例に係る受動部品１０Ｃａにおいては、第１のフィルタ部１８Ａと第１の変換部８４Ａとを有する第１の受動部１６Ａと、第２の変換部８４Ｂを有する第２の受動部１６Ｂとが１つの誘電体基板１４内に形成されて複合化されることから、受動部品１０Ｃ及び１０Ｃａの実装エリアを省スペース化させることができる。しかも、受動部品１０Ｃ及び１０Ｃａから導出される端子数の削減を有効に図ることができ、端子間のピッチも狭ピッチ化させることができる。
【００７９】
次に、第４の実施の形態に係る受動部品１０Ｄについて図１０を参照しながら説明する。なお、図５及び図８と対応する部材については同じ符号を付してその重複説明を省略する。
【００８０】
この第４の実施の形態に係る受動部品１０Ｄは、図１０に示すように、上述した第３の実施の形態に係る受動部品１０Ｃとほぼ同様の構成を有するが、第１のフィルタ部１８Ａが存在しないことで異なる。
【００８１】
即ち、この受動部品１０Ｄは、第１の非平衡入力端子３８（図５参照）に入力された信号が直接第１の受動部１６Ａにおける第１の変換部８４Ａを介して第１の平衡出力端子１００Ａ及び１００Ｂ（図５参照）から出力され、第２の非平衡入力端子４０に入力された信号が直接第２の受動部１６Ｂにおける第２の変換部８４Ｂを介して第２の平衡出力端子１０２Ａ及び１０２Ｂ（図５参照）から出力される。
【００８２】
これに伴い、上述した第３の実施の形態に係る受動部品１０Ｃと比較すると、第４の誘電体層Ｓ４への共振電極２０及び２２（図８参照）の形成並びに第３の誘電体層Ｓ３への内層アース電極５４及び５８の形成、結合調整電極６２の形成が省略されている。
【００８３】
その代わりに、第４の誘電体層Ｓ４の一主面に第１の非平衡入力端子３８（図５参照）と第１の変換部８４Ａとを電気的に接続する接続電極１６２と、第２の非平衡入力端子４０と第２の変換部８４Ｂとを電気的に接続する接続電極１６４が形成されている。
【００８４】
また、この第４の実施の形態では、第１及び第２の変換部８４Ａ及び８４Ｂ間並びに接続電極１６２及び１６４間にそれぞれ長孔１５０及び１６６を形成し、これら長孔１５０及び１６６内に内層アース電極９４及び９６とビアホール３０及び３４を介して電気的に接続される導電体層１５２を充填して第１及び第２の変換部８４Ａ及び８４Ｂ間のアイソレーションを改善させるようにしてもよい。もちろん、これら長孔１５０及び１６６内に空気層を充填してもよい。
【００８５】
このように、第４の実施の形態に係る受動部品１０Ｄにおいては、第１の変換部８４Ａを有する第１の受動部１６Ａと、第２の変換部８４Ｂを有する第２の受動部１６Ｂが１つの誘電体基板１４内に形成されて複合化されることから、受動部品１０Ｄの実装エリアを省スペース化させることができる。しかも、受動部品１０Ｄから導出される端子数の削減を有効に図ることができ、端子間のピッチも狭ピッチ化させることができる。
【００８６】
上述の実施の形態では、第１のフィルタ及び第２のフィルタをそれぞれ２つの共振器を有する構造としたが、それぞれ３つ以上の共振器を有する構造としてもよい。
【００８７】
なお、本発明に係る受動部品は、上述の実施の形態に限らず、本発明の要旨を逸脱することなく、種々の構成を採り得ることはもちろんである。
【図面の簡単な説明】
【００８８】
【図１】第１の実施の形態に係る受動部品を示す斜視図である。
【図２】第１の実施の形態に係る受動部品を示す分解斜視図である。
【図３】比較例の実装状態を示す説明図である。
【図４】実施例の実装状態を示す説明図である。
【図５】第２の実施の形態に係る受動部品を示す斜視図である。
【図６】第２の実施の形態に係る受動部品を示す分解斜視図である。
【図７】第２の実施の形態に係る受動部品の変形例を示す分解斜視図である。
【図８】第３の実施の形態に係る受動部品を示す分解斜視図である。
【図９】第３の実施の形態に係る受動部品の変形例を示す分解斜視図である。
【図１０】第４の実施の形態に係る受動部品を示す分解斜視図である。
【符号の説明】
【００８９】
１０Ａ、１０Ｂ、１０Ｂａ、１０Ｃ、１０Ｃａ、１０Ｄ…受動部品
１２ａ、１２ｂ、９４、９６…内層アース電極
１４…誘電体基板                  １６Ａ…第１の受動部
１６Ｂ…第２の受動部              １８Ａ…第１のフィルタ部
１８Ｂ…第２のフィルタ部          ２０…第１の入力側共振電極
２２…第１の出力側共振電極        ２４…第２の入力側共振電極
２６…第２の出力側共振電極        ２８、３０、３２、３４…ビアホール
８４Ａ…第１の変換部              ８４Ｂ…第２の変換部
８６Ａ…第１の接続部              ８６Ｂ…第２の接続部
８８…複合フィルタ部              ９０…複合変換部
【図１】
2008187733.tif 000003
【図２】
2008187733.tif 000004
【図３】
2008187733.tif 000005
【図４】
2008187733.tif 000006
【図５】
2008187733.tif 000007
【図６】
2008187733.tif 000008
【図７】
2008187733.tif 000009
【図８】
2008187733.tif 000010
【図９】
2008187733.tif 000011
【図１０】
2008187733.tif 000012
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
複数の誘電体層が積層されて構成された誘電体基板と、
前記誘電体基板の上部に形成された第１内層アース電極と、
前記誘電体基板の下部に形成された第２内層アース電極と、
前記誘電体基板内に形成された少なくとも２つの受動部とを有し、
一方の前記受動部は、第１電極を共振電極とする非平衡入出力方式の第１フィルタ部を有し、
他方の前記受動部は、第２電極を共振電極とする非平衡入出力方式の第２フィルタ部を有し、
前記第１電極と前記第２電極とが１つの電極膜にて連続して形成され、
前記電極膜と前記第１内層アース電極及び前記第２内層アース電極とがビアホールにて電気的に接続されることにより、前記第１電極と前記第２電極が共通化され、且つ、前記第１電極と前記第２電極の前記ビアホールが接続される部分が共通の短絡端とされていることを特徴とする受動部品。
【請求項２】
請求項１記載の受動部品において、
前記誘電体基板は、第１入力端子、第２入力端子、第１出力端子及び第２出力端子が形成され、
前記第１フィルタ部は、前記第１入力端子に接続された前記第１電極を第１入力側共振電極とし、前記第１出力端子に接続された第３電極を第１出力側共振電極とし、
前記第２フィルタ部は、前記第２入力端子に接続された前記第２電極を第２入力側共振電極とし、前記第２出力端子に接続された第４電極を第２出力側共振電極とし、
前記第３電極と前記第４電極とが１つの第２の電極膜にて連続して形成され、
前記第２の電極膜と前記第１内層アース電極及び前記第２内層アース電極とが第２のビアホールにて電気的に接続されることにより、前記第３電極と前記第４電極が共通化され、且つ、前記第３電極と前記第４電極の前記第２のビアホールが接続される部分が共通の短絡端とされていることを特徴とする受動部品。
【手続補正２】
【補正対象書類名】明細書
【補正対象項目名】０００８
【補正方法】変更
【補正の内容】
【０００８】
本発明に係る受動部品は、
複数の誘電体層が積層されて構成された誘電体基板と、
前記誘電体基板の上部に形成された第１内層アース電極と、
前記誘電体基板の下部に形成された第２内層アース電極と、
前記誘電体基板内に形成された少なくとも２つの受動部とを有し、
一方の前記受動部は、第１電極を共振電極とする非平衡入出力方式の第１フィルタ部を有し、
他方の前記受動部は、第２電極を共振電極とする非平衡入出力方式の第２フィルタ部を有し、
前記第１電極と前記第２電極とが１つの電極膜にて連続して形成され、
前記電極膜と前記第１内層アース電極及び前記第２内層アース電極とがビアホールにて電気的に接続されることにより、前記第１電極と前記第２電極が共通化され、且つ、前記第１電極と前記第２電極の前記ビアホールが接続される部分が共通の短絡端とされていることを特徴とする。
【手続補正３】
【補正対象書類名】明細書
【補正対象項目名】０００９
【補正方法】変更
【補正の内容】
【０００９】
これにより、複数の受動部が１つの誘電体基板内に形成されて複合化されることになり、複数の受動部をそれぞれ単独で実装するよりも、その実装エリアを省スペース化させることができる。特に、第１及び第２のフィルタを１つの誘電体基板内に効率よく配置することができ、しかも、各フィルタ部間のアイソレーションを各共振電極の短絡端にて改善することができ、作製の容易性、受動部品の小型化を図ることができる。
【手続補正４】
【補正対象書類名】明細書
【補正対象項目名】００１０
【補正方法】変更
【補正の内容】
【００１０】
しかも、第１電極及び第２電極を共通化しているため、受動部品から導出される端子数を有効に削減することができ、これに伴い、端子間のピッチも狭ピッチ化させることができる。
【手続補正５】
【補正対象書類名】明細書
【補正対象項目名】００１２
【補正方法】変更
【補正の内容】
【００１２】
そして、前記誘電体基板は、第１入力端子、第２入力端子、第１出力端子及び第２出力端子が形成され、
前記第１フィルタ部は、前記第１入力端子に接続された前記第１電極を第１入力側共振電極とし、前記第１出力端子に接続された第３電極を第１出力側共振電極とし、
前記第２フィルタ部は、前記第２入力端子に接続された前記第２電極を第２入力側共振電極とし、前記第２出力端子に接続された第４電極を第２出力側共振電極とし、
前記第３電極と前記第４電極とが１つの第２の電極膜にて連続して形成され、
前記第２の電極膜と前記第１内層アース電極及び前記第２内層アース電極とが第２のビアホールにて電気的に接続されることにより、前記第３電極と前記第４電極が共通化され、且つ、前記第３電極と前記第４電極の前記第２のビアホールが接続される部分が共通の短絡端とされていてもよい。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】